(57)【要約】【課題】第１の回転軸心回りに回動でき、かつこの第１の回転軸心に対して直交する第２の回転軸心回りに回動可能のケーブルアセンブリを提供する。【解決手段】対向した一対のコネクタ１７，１９を複数の接続線２１によって接続した構成のケーブルアセンブリであって、複数の接続線２１を、一方のコネクタ１７の一端側１７Ａから中央部１７Ｂに亘って接続した第１の接続線群２３Ａと、この一方のコネクタ１７の中央部１７Ｂから他端側１７Ｃに亘って接続した第２の接続線群２３Ｂとに区画して設け、前記第１の接続線群２３Ａと前記第２の接続線群２３Ｂとを交差してそれぞれ一対のコネクタ１７，１９に接続した構成である。【選択図】図１
2005184344.tif 000002
【特許請求の範囲】
【請求項１】
対向した一対のコネクタを複数の接続線によって接続した構成のケーブルアセンブリであって、複数の接続線を、一方のコネクタの一端側から中央部に亘って接続した第１の接続線群と、この一方のコネクタの中央部から他端側に亘って接続した第２の接続線群とに区画して設け、前記第１の接続線群における前記一方のコネクタの一端側の接続線を他方のコネクタの中央部側に接続し、この第１の接続線群における前記一方のコネクタの中央部側の接続線を他方のコネクタの他端側に接続し、前記第２の接続線群における前記一方のコネクタの他端側の接続線を他方のコネクタの中央部側に接続し、前記第２の接続線群における前記一方のコネクタの中央部側の接続線を他方のコネクタの一端側に接続した構成であることを特徴とするケーブルアセンブリ。
【請求項２】
請求項１に記載のケーブルアセンブリにおいて、前記一方のコネクタに対して他方のコネクタを、前記第１の接続線群と第２の接続線群との重なり合いを解除するように反転した状態において、前記第１の接続線群と第２の接続線群との長手方向の中央部付近を結束部材によって結束してあることを特徴とするケーブルアセンブリ。
【請求項３】
請求項１又は２に記載のケーブルアセンブリにおいて、前記複数の接続線は極細同軸ケーブルからなり、かつ複数の接続線の長さはほぼ等しい長さであることを特徴とするケーブルアセンブリ。
【発明の詳細な説明】
【技術分野】
【０００１】
本発明は、対向した一対のコネクタを複数の接続線によって接続した構成のケーブルアセンブリに係り、さらに詳細には、前記接続線の長手方向に対して直交する方向の第１の回転軸心を中心として回動可能、かつ上記第１の回転軸心に対して直交する方向の第２の回転軸心を中心として捩り可能なケーブルアセンブリに関する。
【背景技術】
【０００２】
近年、携帯電話には、デジタルカメラ付きの携帯電話が開発されている。そして、携帯電話には、図５に示すように、複数の入力ボタン１を備えた第１筐体３と、表示部５を備えた第２筐体７とをヒンジ部９を介して接続した構成において、前記第１筐体３に対して第２筐体７を、第１の回転軸心Ｓ１の回りに回動可能に設けると共に、上記第１の回転軸心Ｓ１に対して直交する方向の第２の回転軸心Ｓ２を中心として回動可能（捩り可能）な構成の携帯電話も開発されている。
【０００３】
前記第１筐体３内の基板１１（図３参照）と第２の筐体５内の基板１３とを電気的に接続する構成としてＦＰＣ（Flexible Printed Circuit）１５が一般的に採用されている。そして、前記第１の回転軸心Ｓ１の回りの回動に対応するように、前記第１の回転軸心Ｓ１を巻くような捩り部１５Ａを形成することによって、前記基板１１，１３の接続が行われている（特許文献１参照）。
【０００４】
また、第２の回転軸心Ｓ２回りの回動に対応する構成としては、図４に示すように、ＦＰＣ１５を、水平部１５Ｈの両端部に互いに反対方向へ突出した突出部１５Ｐを備えた形状に構成し、前記水平部１５Ｈを円形状に丸めることにより、第２の回転軸心Ｓ２回りの回動に対応可能に構成してある（特許文献２）。
【特許文献１】特開２００３−１４３２７２号公報
【特許文献２】特開２００１−２４５２６７号公報
【発明の開示】
【発明が解決しようとする課題】
【０００５】
したがって、基板１１と基板１３とをＦＰＣ１５によって接続するとき、図３，図４に示した構成を組み合わせることにより、基板１１に対して第１，第２の回動軸心Ｓ１，Ｓ２の回りに基板１３を相対的に回動可能の構成とすることも可能である。しかし、ＦＰＣ１５の捩り部１５Ａと水平部１５Ｈとは直列的配置としなければならず、小型化を図る上においては問題がある。
【０００６】
また、前記基板１１，１３を接続する構成として、図２に示すように、対向した一対のコネクタ１７，１９間に複数の接続線２１を配置し、この複数の接続線２１によって前記一対のコネクタ１７，１９を接続した構成のケーブルアセンブリを採用した場合、第１の回転軸心Ｓ１回りの回動は可能であるが、第２の回転軸心Ｓ２回りの回動を行うと、両端側の接続線２１が引っ張られて切断することがある。
【０００７】
そこで、第２の回転軸心Ｓ２回りの回動に対応すべく、中央部付近の接続線よりも両端側の接続線の長さを長くすると、伝達信号の同期性の遅れが生じるという新たな問題が発生する。
【課題を解決するための手段】
【０００８】
本発明は、上述のごとき問題に鑑みてなされたもので、対向した一対のコネクタを複数の接続線によって接続した構成のケーブルアセンブリであって、複数の接続線を、一方のコネクタの一端側から中央部に亘って接続した第１の接続線群と、この一方のコネクタの中央部から他端側に亘って接続した第２の接続線群とに区画して設け、前記第１の接続線群における前記一方のコネクタの一端側の接続線を他方のコネクタの中央部側に接続し、この第１の接続線群における前記一方のコネクタの中央部側の接続線を他方のコネクタの他端側に接続し、前記第２の接続線群における前記一方のコネクタの他端側の接続線を他方のコネクタの中央部側に接続し、前記第２の接続線群における前記一方のコネクタの中央部側の接続線を他方のコネクタの一端側に接続した構成であることを特徴とするものである。
【０００９】
また、本発明は、上記ケーブルアセンブリにおいて、前記一方のコネクタに対して他方のコネクタを、前記第１の接続線群と第２の接続線群との重なり合いを解除するように反転した状態において、前記第１の接続線群と第２の接続線群との長手方向の中央部付近を結束部材によって結束してあることを特徴とするものである。
【００１０】
また、本発明は、上記ケーブルアセンブリにおいて、前記複数の接続線は極細同軸ケーブルからなり、かつ複数の接続線の長さはほぼ等しい長さであることを特徴とするものである。
【発明の効果】
【００１１】
本発明によれば、ケーブルアセンブリを、第１，第２の回転軸心回りに回動することができる。この際、各接続線に作用する荷重をほぼ一定に保持することができ、接続線の断線を防止することができるものである。また、各接続線の長さを均等に保持することができ、伝達信号の遅れ等を生じるようなことはないものである。
【発明を実施するための最良の形態】
【００１２】
以下、図面を用いて本発明の実施形態に係るケーブルアセンブリについて詳細に説明するが、前述した従来の構成と同一機能を奏する構成要素には同一符号を付することとして、重複した説明は省略する。
【００１３】
図１を参照するに、本発明の実施形態に係るケーブルアセンブリは、前述した構成と同様に対向した一対のコネクタ１７，１９を備えており、上記一対のコネクタ１７，１９は同一長さで互いに平行な複数の接続線２１によって接続してある。上記接続線２１は、直径が０．０３mm程度の微細な錫メッキ銅合金線又は銅線を複数撚り合せた中心導体の周囲を絶縁層により被覆し、この絶縁層の外周面に、前記中心導体同様の微細な線材を多数配置して外部導体とし、この外部導体の外周部を絶縁体よりなるシースによって被覆した構成の極細同軸ケーブルよりなるものである。
【００１４】
前記複数の接続線２１は、第１の接続線群２３Ａと第２の接続線群２３Ｂとに区画してあり、第１の接続線群２３Ａにおける複数の接続線２１の一端部は、一方のコネクタ１７の一端側１７Ａから中央部１７Ｂに亘って一方のコネクタ１７に接続してある。そして、この第１の接続線群２３Ａにおける複数の接続線２１の他端部は、他方のコネクタ１９における中央部１９Ｂから他端側１９Ｃに亘って接続してある。この第１の接続線群２３Ａにおける各接続線２１は互いに平行で等しい長さである。
【００１５】
前記第２の接続線群２３Ｂにおける複数の接続線２１の一端部は、一方のコネクタ１７の前記中央部１７Ｂから上記コネクタ１７の他端側１７Ｃに亘って一方のコネクタ１７に接続してあり、上記第２の接続線群２３Ｂにおける複数の接続線２１の他端部は、他方のコネクタ１９の一端側１９Ａから中央部１９Ｂに亘って接続してある。この第２の接続線群２３Ｂにおける各接続線２１は互いに平行で等しい長さであり、かつ第１，第２の接続線群２３Ａ，２３Ｂにおける各接続線２１は全て等しい長さである。
【００１６】
前記構成により、前記第１の接続線群２３Ａと第２の接続線群２３Ｂは、図１（Ａ）に示すように交差した状態にある。したがって、第１の回転軸心Ｓ１回りに回動すること、すなわち折曲げることが可能である。また、第２の回転軸心Ｓ２の回りに、矢印方向に捩ることができるものである。
【００１７】
前記構成において、前記第１の接続線群２３Ａと第２の接続線群２３Ｂとの交差した重なり合いを解除するように、コネクタ１９に対してコネクタ１７を、第２の回転軸心回りに矢印方向に反転すると、第１，第２の接続線群２３Ａ，２３Ｂの交差した重なり合いが解除されて、図１（Ｂ）に示すように、第１，第２の接続線群２３Ａ，２３Ｂの長手方向の中央部に捩れ部２５Ａ，２５Ｂを生じることになる。
【００１８】
その後、一対のコネクタ１７，１９を近接すると共に、前記捩れ部２５Ａ，２５Ｂを、例えばテープ等のごとき適宜の結束部材２７により結束することにより、図１（Ｃ）に示すケーブルアセンブリが得られるものである。
【００１９】
上記構成により、ケーブルアセンブリを、第１の回転軸心回りに回動（湾曲）することができると共に、第２の回転軸心回りに回動すること（捩ること）ができるものである。この際、第１，第２の接続線群２３Ａ，２３Ｂにおける各接続線２１に荷重は均等的に使用するものであり、接続線２１に断線を生じることがないものである。
【図面の簡単な説明】
【００２０】
【図１】本発明の実施形態に係るケーブルアセンブリの説明図である。
【図２】従来のケーブルアセンブリの説明図である。
【図３】一方の基板と他方の基板とを接続したＦＰＣの構成を示す説明図である。
【図４】一方の基板と他方の基板とを接続したＦＰＣの構成を示す説明図である。
【図５】携帯電話の概略的な外観説明図である。
【符号の説明】
【００２１】
１７，１９    コネクタ
２１    接続線
２３Ａ    第１の接続線群
２３Ｂ    第２の接続線群
２７    結束部材
【図１】
2005184344.tif 000003
【図２】
2005184344.tif 000004
【図３】
2005184344.tif 000005
【図４】
2005184344.tif 000006
【図５】
2005184344.tif 000007